(57)【要約】【課題】剥離可能に貼着された２つのシート部を、不用意に剥離してしまうことを回避しながらも、互いに並行する２本の切り離し線からなる開封構造を用いて容易に剥離する。【解決手段】隠蔽はがき１を開封するための開封構造となるジッパー部２１を構成する２本の切り離し線２１ａ，２１ｂ間の領域において、はがき本体部１０と隠蔽片部２０とが、感圧接着剤ではなく、貼着後の剥離及び剥離後の再貼着が可能な弱粘着層５０によって剥離可能に貼着される。【選択図】図１
2015116766.tif 000002
【特許請求の範囲】
【請求項１】
一方の面に情報記入領域が設けられた第１のシート部と、
折り部を介して前記第１のシート部に折り畳み可能に連接し、前記折り部とは反対側の辺に沿って互いに並行する２本の切り離し線からなる開封構造を具備する第２のシート部とを有し、
前記第２のシート部は、前記一方の面が内側となるように前記折り部を中心として折り畳まれた場合に前記情報記入領域に対向する面のうち、前記２本の切り離し線のうち前記折り部とは反対側の切り離し線と前記折り部との間の領域に、貼着後の剥離及び剥離後の再貼着が可能な第１の粘着層が積層されるとともに、前記２本の切り離し線のうち前記折り部とは反対側の切り離し線と前記折り部とは反対側の辺との間の領域に、貼着後の剥離が困難な第２の粘着層が積層され、
前記第１及び第２の粘着層によって前記第２のシート部に剥離シートが剥離可能に貼着されている隠蔽シート。
【請求項２】
請求項１に記載の隠蔽シートにおいて、
前記第２のシート部は、前記一方の面が内側となるように前記折り部を中心として折り畳まれた場合に前記情報記入領域に対向する面のうち、前記２本の切り離し線に挟まれた領域に、前記第１の粘着層の代わりに、前記第１の粘着層よりも弱い剥離力で剥離可能な第３の粘着層が積層されている隠蔽シート。
【発明の詳細な説明】
【技術分野】
【０００１】
本発明は、情報記入領域に記入された情報を隠蔽可能な隠蔽シートに関する。
【背景技術】
【０００２】
従来より、情報を記入するための情報記入領域が設けられたはがきにおいて、情報記入領域に情報を記入した後に、この情報記入領域上に隠蔽片を剥離可能に貼着し、それにより、情報記入領域に記入された情報を隠蔽可能とするものが考えられている。このようなものとして、例えば、はがき本体と隠蔽片とが折り畳み可能に連接し、隠蔽片上に剥離紙が剥離可能に貼着されたはがきが用いられている。このようなはがきは、はがき本体に設けられた情報記入領域に情報が記入された後、剥離紙が剥離されてはがき本体と隠蔽片とが折り畳まれ、情報記入領域上に隠蔽片が貼着されることにより、情報記入領域に記入された情報が隠蔽されることになる。
【０００３】
ここで、折り部を介して連接した２つの帳票片を折り畳んで互いに剥離可能に貼着することにより、帳票片の折り畳み状態内側となる面に記録された情報を隠蔽するメールフォームが、例えば特許文献１に開示されている。
【０００４】
特許文献１に開示されたメールフォームは、折り畳み可能に連接した２つの帳票片のそれぞれについて、折り畳み状態内側となる面に感圧接着剤が塗布されるとともに、折り部とは反対側の辺に沿って貼着後の剥離を不能とする接着層が積層され、さらに、一方の帳票片の接着層の折り部側に沿って２本のミシン目からなる開封構造が設けられている。そして、２つの帳票片が折り畳まれて貼着された状態から、２本のミシン目が破断されていき、この２本のミシン目間の領域が他方の帳票片から剥離されることにより、開封構造が設けられた帳票片のうち、折り部とは反対側の辺と開封構造との間の領域が他方の帳票片に接着層によって貼着されたまま、折り部と開封構造との間の領域が剥離されていく。そして、折り部と開封構造との間の領域が剥離されることにより、帳票片に記録された情報が視認されることになる。ここで、２本のミシン目間の領域においては、感圧接着剤が塗布された状態では剥離しにくいため、感圧接着剤上に、のり殺し作用を生じさせるためにベタ印刷が施されている。
【０００５】
このような構成を、情報記入領域が設けられた隠蔽シートに用いることで、情報記入領域に記入された情報を隠蔽することができる。
【先行技術文献】
【特許文献】
【０００６】
【特許文献１】特開平８−１８７９７７号公報
【発明の概要】
【発明が解決しようとする課題】
【０００７】
上述したように、２つの帳票片が感圧接着剤によって剥離可能に貼着される構成においては、開封構造として２本のミシン目が並行するものを用いた場合、開封構造を他方の帳票片から剥離しにくいという問題点がある。また、そのような問題点を解決するために上述したように、２本のミシン目間にベタ印刷を施したとしても、開封構造を他方の帳票片から剥離しにくいという問題点を解決できるとは言い難い。そこで、２本のミシン目間に感圧接着剤を塗布しなければ。２本のミシン目を破断するだけで開封構造を他方の帳票片から分離することができるが、その場合、感圧接着剤が塗布されていない領域においては、２つの帳票片が貼着されていないこととなり、その領域から２つの帳票片が不用意に剥離してしまう虞れがある。
【０００８】
本発明は、上述したような従来の技術が有する問題点に鑑みてなされたものであって、剥離可能に貼着された２つのシート部を、不用意に剥離してしまうことを回避しながらも、互いに並行する２本の切り離し線からなる開封構造を用いて容易に剥離することができる隠蔽シートを提供することを目的とする。
【課題を解決するための手段】
【０００９】
上記目的を達成するために本発明は、
一方の面に情報記入領域が設けられた第１のシート部と、
折り部を介して前記第１のシート部に折り畳み可能に連接し、前記折り部とは反対側の辺に沿って互いに並行する２本の切り離し線からなる開封構造を具備する第２のシート部とを有し、
前記第２のシート部は、前記一方の面が内側となるように前記折り部を中心として折り畳まれた場合に前記情報記入領域に対向する面のうち、前記２本の切り離し線のうち前記折り部とは反対側の切り離し線と前記折り部との間の領域に、貼着後の剥離及び剥離後の再貼着が可能な第１の粘着層が積層されるとともに、前記２本の切り離し線のうち前記折り部とは反対側の切り離し線と前記折り部とは反対側の辺との間の領域に、貼着後の剥離が困難な第２の粘着層が積層され、
前記第１及び第２の粘着層によって前記第２のシート部に剥離シートが剥離可能に貼着されている。
【００１０】
上記のように構成された本発明においては、情報記入領域に情報が記入された後、第２のシートから剥離シートが剥離されて第１のシート部と第２のシート部とが、情報記入領域が内側となるように折り部を中心として折り畳まれ、第１及び第２の粘着層によって第１のシート部と第２のシート部とが貼着される。これにより、情報記入領域が第２のシート部によって覆われ、情報記入領域に記入された情報が隠蔽されることになる。その後、隠蔽シートが開封される際は、第２のシート部に形成された開封構造を構成する２本の切り離し線が破断されることによって、第２のシート部が、開封構造を境界として２つの領域に切り離される。開封構造を構成する２本の切り離し線のうち折り部とは反対側の切り離し線と第２のシート部の折り部とは反対側の辺との間の領域は、貼着後の剥離が困難な第２の粘着層によって第１のシート部と剥離困難に貼着されているため、第１のシート部に貼着されたままの状態となる。一方、開封構造を構成する２本の切り離し線のうち折り部とは反対側の切り離し線と折り部との間の領域は、貼着後の剥離が可能な第１の粘着層によって第１のシート部と剥離可能に貼着されているため、２本の切り離し線間の領域が第１のシート部から剥離され、またその後、折り部側の切り離し線と折り部との間の領域も第１のシート部から剥離される。このように、第２のシート部の、開封構造と折り部との間の領域が第１のシート部から剥離されることによって隠蔽シートが開封され、情報記入領域に記入された情報が視認されることになる。ここで、上記のような方法によって開封されるために、第１のシート部と第２のシート部とが、開封構造を構成する２本の切り離し線のうち折り部とは反対側の切り離し線と折り部との間が、感圧接着剤ではなく、貼着後の剥離及び剥離後の再貼着が可能な第１の粘着層によって剥離可能に貼着されるため、２本の切り離し線間の領域においても、この第１の粘着層によって第１のシート部と第２のシート部とが剥離可能に貼着されることになり、それにより、第１のシート部と第２のシート部とが貼着された状態から開封構造を構成する２本の切り離し線間の領域を第１のシート部から容易に剥離することができる。
【００１１】
また、第２のシート部の、情報記入領域が設けられた面が内側となるように折り部を中心として折り畳まれた場合に情報記入領域に対向する面のうち、２本の切り離し線に挟まれた領域に、第１の粘着層の代わりに、第１の粘着層よりも弱い剥離力で剥離可能な第３の粘着層が積層されていれば、第１のシート部と第２のシート部とが貼着された状態から隠蔽シートが開封されるために切り離し線が破断される際、２本の切り離し線間の領域が第１のシート部から剥離しやすくなる。
【発明の効果】
【００１２】
本発明は、第１のシート部と第２のシート部とが貼着された状態から開封されるために第１のシート部と第２のシート部とを剥離可能に貼着するための第１の粘着層が、貼着後の剥離及び剥離後の再貼着が可能なものであり、この隠蔽シートを開封するために第２のシート部に設けられた開封構造を構成する２本の切り離し線間の領域もこの第１の粘着層によって第１のシート部に剥離可能に貼着されるため、２本の切り離し線間の領域を、第１のシート部に貼着された状態から容易に剥離することができ、それにより、剥離可能に貼着された２つのシート部を、不用意に剥離してしまうことを回避しながらも、互いに並行する２本の切り離し線からなる開封構造を用いて容易に剥離することができる。
【００１３】
また、第２のシート部の、情報記入領域が設けられた面が内側となるように折り部を中心として折り畳まれた場合に情報記入領域に対向する面のうち、２本の切り離し線に挟まれた領域に、第１の粘着層の代わりに、第１の粘着層よりも弱い剥離力で剥離可能な第３の粘着層が積層されている構成としたものにおいては、第１のシート部と第２のシート部とが貼着された状態から隠蔽シートが開封されるために切り離し線が破断される際、２本の切り離し線間の領域を第１のシート部から剥離しやすくすることができる。
【図面の簡単な説明】
【００１４】
【図１】本発明の隠蔽シートの実施の一形態を示す図であり、（ａ）は表面図、（ｂ）は（ａ）に示したＡ−Ａ’断面図、（ｃ）は裏面図、（ｄ）はジッパー部の詳細な構成を示す図、（ｅ）は剥離シートを剥離した状態の裏面図である。
【図２】図１に示した隠蔽はがきが送付されるまでの使用方法を説明するための図である。
【図３】図１に示した隠蔽はがきの送付先での使用方法を説明するための図である。
【図４】図１に示したジッパー部が破断していく際の作用を説明するための図である。
【図５】本発明の隠蔽シートの他の実施の形態を示す図であり、（ａ）は表面図、（ｂ）は（ａ）に示したＡ−Ａ’断面図、（ｃ）は裏面図、（ｄ）はジッパー部の詳細な構成を示す図、（ｅ）は剥離シートを剥離した状態の裏面図である。
【発明を実施するための形態】
【００１５】
以下に、本発明の実施の形態について図面を参照して説明する。
【００１６】
図１は、本発明の隠蔽シートの実施の一形態を示す図であり、（ａ）は表面図、（ｂ）は（ａ）に示したＡ−Ａ’断面図、（ｃ）は裏面図、（ｄ）はジッパー部２１の詳細な構成を示す図、（ｅ）は剥離シート３０を剥離した状態の裏面図である。
【００１７】
本形態は図１に示すように、第１のシート部であるはがき本体部１０と、第２のシート部である隠蔽片部２０とが折り部４０を介して折り畳み可能に連接し、隠蔽片部２０の一方の面に剥離シート３０が剥離可能に貼着されて構成された隠蔽はがき１である。
【００１８】
はがき本体部１０は、はがき本体部１０と隠蔽片部２０が折り部４０を中心として折り畳まれた場合に外側となる面に、この隠蔽はがき１の送付先の住所や氏名、名称等の宛先情報１１が表示されているとともに、それとは反対の面に、この隠蔽はがき１の提供先から隠蔽はがき１の送付先に伝達する申込情報を記入するための情報記入領域となる申込情報記入欄１４が設けられている。
【００１９】
隠蔽片部２０は、はがき本体部１０と隠蔽片部２０が折り部４０を中心として折り畳まれた場合に申込情報記入欄１４と対向する面に、第１の粘着層となる弱粘着層５０及び第２の粘着層となる強粘着層６０が積層されている。また、隠蔽片部２０の折り部４０とは反対側の辺から所定の距離を隔てた領域に、その辺に沿って所定の間隔を有して互いに並行する２本の切り離し線２１ａ，２１ｂからなる開封構造となるジッパー部２１が設けられている。
【００２０】
弱粘着層５０は、貼着後の剥離及び剥離後の再貼着が可能なものであって、２本の切り離し線２１ａ，２１ｂのうち折り部４０とは反対側の切り離し線２１ｂと折り部４０との間の領域の全面に積層されている。
【００２１】
強粘着層６０は、貼着後の剥離が困難なものであって、２本の切り離し線２１ａ，２１ｂのうち折り部４０とは反対側の切り離し線２１ｂと、折り部４０とは反対側の辺との間の領域の全面に積層されている。なお、貼着後の剥離が困難とは、はがき本体部１０と隠蔽片部２０とが貼着された状態からこれらを人間の手によって剥離した場合に、はがき本体部１０や隠蔽片部２０が裂かれたり厚み方向に分割されたりする程度に強接着されていることである。
【００２２】
剥離シート３０は、剥離台紙上にシリコーン系等の剥離剤が塗工されて構成され、剥離剤が塗工された面にて弱粘着層５０及び強粘着層６０によって隠蔽片部２０に貼着されている。
【００２３】
切り離し線２１ａ，２１ｂのそれぞれは、複数の切り込み２４ａ，２４ｂが、切り離し線２１ａ，２１ｂが延びる方向に並んで構成されている。複数の切り込み２４ａ，２４ｂのそれぞれは、複数の切り込み２４ａ，２４ｂの並び方向に延びた辺部２２ａ，２２ｂと、一端がこの辺部２２ａ，２２ｂに繋がり、その一端から切り離し線２１ａ，２１ｂ間の領域側に鈍角を有して斜めに延びた辺部２３ａ，２３ｂとから構成されている。
【００２４】
以下に、上記のように構成された隠蔽はがき１の使用方法について説明する。
【００２５】
まず、隠蔽はがき１が送付されるまでの使用方法について説明する。
【００２６】
図２は、図１に示した隠蔽はがき１が送付されるまでの使用方法を説明するための図である。
【００２７】
上記のように構成された隠蔽はがき１を用いて、申込情報記入欄１４に記入される申込情報を隠蔽はがき１の提供先から送付先に伝達する場合は、隠蔽はがき１の提供先においてまず、図２（ａ）に示すように、申込情報記入欄１４に申込情報１５が記入され、図２（ｂ）に示すように、隠蔽片部２０から剥離シート３０が剥離されていく。
【００２８】
剥離シート３０が隠蔽片部２０から完全に剥離されると、図２（ｃ）に示すように、隠蔽片部２０に積層された弱粘着層５０及び強粘着層６０が表出する。
【００２９】
そして、図２（ｄ）に示すように、はがき本体部１０と隠蔽片部２０とが、申込情報記入欄１４が設けられた面が内側となるように折り部４０を中心として折り畳まれる。
【００３０】
すると、隠蔽片部２０の折り畳み状態内側となる面には、弱粘着層５０及び強粘着層６０が積層されているため、これら弱粘着層５０及び強粘着層６０によってはがき本体部１０と隠蔽片部２０とが貼着されることになる。
【００３１】
はがき本体部１０と隠蔽片部２０とが貼着された隠蔽はがき１は図２（ｅ）に示すように、申込情報記入欄１４に記入された申込情報１５が隠蔽片部２０によって隠蔽された状態となり、はがき本体部１０に表示された宛先情報１１に従って、隠蔽はがき１の送付先に送付されることになる。
【００３２】
次に、上記のようにして送付された隠蔽はがき１の送付先での使用方法について説明する。
【００３３】
図３は、図１に示した隠蔽はがき１の送付先での使用方法を説明するための図である。
【００３４】
上記のようにして隠蔽はがき１が送付先に送付された後、隠蔽はがき１の送付先において、隠蔽はがき１を開封するためにはがき本体部１０と隠蔽片部２０とが剥離される。
【００３５】
図１に示した隠蔽はがき１においては、はがき本体部１０と隠蔽片部２０とを剥離するためには、まず、図３（ａ）に示すように、ジッパー部２１の切り離し線２１ａ，２１ｂ間の領域がその一端から引き上げられ、他端側に引っ張られていく。ジッパー部２１の切り離し線２１ａ，２１ｂ間の領域は、貼着後の剥離が可能な弱粘着層５０によってはがき本体部１０に剥離可能に貼着されているため、はがき本体部１０から剥離させながら引き上げて引っ張ることができ、この領域が引っ張られることによってジッパー部２１が破断していく。
【００３６】
図４は、図１に示したジッパー部２１が破断していく際の作用を説明するための図である。
【００３７】
ジッパー部２１の切り離し線２１ａ，２１ｂ間の領域が、辺部２３ａ，２３ｂ側から引き上げられていくと、ジッパー部２１の破断領域が、辺部２３ａ，２３ｂ及び辺部２２ａ，２２ｂを介して、辺部２２ａ，２２ｂの辺部２３ａ，２３ｂとは反対側の端部に達する。
【００３８】
この辺部２２ａ，２２ｂの端部においては、ジッパー部２１の切り離し線２１ａ，２１ｂ間の領域が辺部２２ａ，２２ｂ側に引っ張られた場合、図４（ａ）に示すように、ジッパー部２１が破断する力が、切り離し線２１ａ，２１ｂ間の領域側に向くように作用する。そのため、ジッパー部２１の切り離し線２１ａ，２１ｂ間の領域が辺部２２ａ，２２ｂ側にさらに引っ張られていくと、切り離し線２１ａ，２１ｂのそれぞれについての複数の切り込み２４ａ，２４ｂ間においては、複数の切り込み２４ａ，２４ｂの並び方向に対して、切り離し線２１ａ，２１ｂ間の領域側の方向に隠蔽片部２０が破断していく。ところが、この破断方向には、隣接する切り込み２４ａ，２４ｂの辺部２３ａ，２３ｂが存在するため、図４（ｂ）に示すように、辺部２２ａ，２２ｂからの破断部２５ａ，２５ｂがこの辺部２３ａ，２３ｂと繋がり、ジッパー部２１が破断していく。
【００３９】
このようにしてジッパー部２１が完全に破断されると、図３（ｂ）に示すように、切り離し線２１ａ，２１ｂ間の領域が隠蔽片部２０から分離し、隠蔽片部２０がジッパー部２１を介した２つの領域に切り離され、ジッパー部２１が分離した領域にはがき本体部１０の一部が表出する。
【００４０】
はがき本体部１０が表出した領域は、隠蔽片部２０に対して段差を有しているため、この段差に指等を引っ掛けて、図３（ｃ）に示すように、隠蔽片部２０のジッパー部２１と折り部４０との間の領域がはがき本体部１０から剥離されていく。隠蔽片部２０の切り離し線２１ａと折り部４０との間の領域は、貼着後の剥離が可能な弱粘着層５０によってはがき本体部１０に剥離可能に貼着されているため、はがき本体部１０から剥離することができる。一方、隠蔽片部２０の折り部４０とは反対側の辺と切り離し線２１ｂとの間の領域は、貼着後の剥離が困難な強粘着層６０によってはがき本体部１０に貼着されているため、はがき本体部１０から剥離することなく貼着されたままの状態となる。
【００４１】
隠蔽片部２０の切り離し線２１ａと折り部４０との間の領域がはがき本体部１０から完全に剥離されると、図３（ｄ）に示すように、申込情報記入欄１４が表出し、申込情報記入欄１４に記入された申込情報１５が視認可能となり、隠蔽はがき１の送付先に伝達されることになる。
【００４２】
本形態における隠蔽はがき１は上述したように使用されることになるが、隠蔽はがき１を開封するための開封構造となるジッパー部２１を構成する２本の切り離し線２１ａ，２１ｂ間の領域においても、隠蔽片部２０に積層された弱粘着層５０によってはがき本体部１０と隠蔽片部２０とが剥離可能に貼着されるため、隠蔽はがき１の配送途中等において、開封構造から不用意に剥離してしまうことが回避される。また、この切り離し線２１ａ，２１ｂ間の領域が、感圧接着剤ではなく、貼着後の剥離及び剥離後の再貼着が可能な弱粘着層５０によって剥離可能に貼着されるため、隠蔽はがき１を開封するためにジッパー部２１を破断していく際、２本の切り離し線２１ａ，２１ｂ間の領域を、はがき本体部１０に貼着された状態から容易に剥離することができる。
【００４３】
（他の実施の形態）
図５は、本発明の隠蔽シートの他の実施の形態を示す図であり、（ａ）は表面図、（ｂ）は（ａ）に示したＡ−Ａ’断面図、（ｃ）は裏面図、（ｄ）はジッパー部１２１の詳細な構成を示す図、（ｅ）は剥離シート１３０を剥離した状態の裏面図である。
【００４４】
本形態は図５に示すように、図１に示したものに対して、隠蔽片部１２０の２本の切り離し線１２１ａ，１２１ｂ間の領域に、弱粘着層１５０の代わりに、弱粘着層１５０よりも弱い剥離力で貼着後の剥離が可能な第３の粘着層である弱粘着層１７０が積層されている点が異なるものである。
【００４５】
上記のように構成された隠蔽はがき１０１においても、図１に示したものと同様に使用されるが、隠蔽片部１２０の２本の切り離し線１２１ａ，１２１ｂ間の領域が、弱粘着層１５０よりも弱い剥離力で貼着後の剥離が可能な弱粘着層１７０によってはがき本体部１１０に貼着されているため、隠蔽はがき１０１が開封されるためにジッパー部１２１が破断された際、切り離し線１２１ａ，１２１ｂ間の領域がはがき本体部１１０から剥離しやすくなる。
【００４６】
なお、上述した２つの実施の形態においては、開封構造を構成する２本の切り離し線として、複数の切り込み２４ａ，２４ｂ，１２４ａ，１２４ｂが、切り離し線２１ａ，２１ｂ，１２１ａ，１２１ｂが延びる方向に並んで構成され、複数の切り込み２４ａ，２４ｂ，１２４ａ，１２４ｂのそれぞれが、複数の切り込み２４ａ，２４ｂ，１２４ａ，１２４ｂの並び方向に延びた辺部２２ａ，２２ｂ，１２２ａ，１２２ｂと、一端がこの辺部２２ａ，２２ｂ，１２２ａ，１２２ｂに繋がり、その一端から切り離し線２１ａ，２１ｂ，１２１ａ，１２１ｂ間の領域側に鈍角を有して斜めに延びた辺部２３ａ，２３ｂ，１２３ａ，１２３ｂとから構成されたジッパー部２１，１２１を例に挙げて説明したが、本発明における２本の切り離し線は、このような構成を有するジッパー部に限らず、タイ部とカット部とが交互に並んだ一般的なミシン目や、マイクロミシン等が２本互いに並行したものであってもよい。
【００４７】
また、上述した２つの実施の形態においては、隠蔽シートして隠蔽はがき１，１０１を例に挙げて説明したが、例えば、折り畳んだ状態がＡ４サイズとなるパンフレット形状のものであってもよく、上記のような方法で使用されるものであれば本発明を適用することができる。
【符号の説明】
【００４８】
１，１０１    隠蔽はがき
１０，１１０    はがき本体部
１１，１１１    宛先情報
１４，１１４    申込情報記入欄
１５    申込情報
２０，１２０    隠蔽片部
３０，１３０    剥離シート
４０，１４０    折り部
５０，１５０，１７０    弱粘着層
６０，１６０    強粘着層
２１，１２１    ジッパー部
２１ａ，２１ｂ，１２１ａ，１２１ｂ    切り離し線
２２ａ，２２ｂ，２３ａ，２３ｂ，１２２ａ，１２２ｂ，１２３ａ，１２３ｂ    辺部
２４ａ，２４ｂ，１２４ａ，１２４ｂ    切り込み
２５ａ，２５ｂ    破断部
【図１】
2015116766.tif 000003
【図２】
2015116766.tif 000004
【図３】
2015116766.tif 000005
【図４】
2015116766.tif 000006
【図５】
2015116766.tif 000007